(57)【特許請求の範囲】
【請求項１】
固定プレートの係止部に係止爪を係止させて固定プレート上の所定位置に保持され、引き戸の開放方向への移動経路の障壁となって該引き戸の開放操作を禁止するスライド錠であって、
適数の回転操作可能なダイヤルと、
ダイヤルの所定の回転位置において移動操作が可能となり、固定プレートからの離脱方向の移動操作により係止爪の係止部との係止を解除させ、かつ、前記ダイヤルの所定の回転位置において固定プレートからの離脱方向の移動操作がされないときに係止爪の係止部との係止解除を不能にして引き戸の開放操作を禁止する操作部とを有するスライド錠。
【請求項２】
施錠位置と解錠位置との間で移動可能で、かつ、径方向にボスが突設されるシャフトを有し、
前記操作部はシャフトに固定され、
前記ダイヤルは、シャフト周りに回転自在で、所定の回転位置においてのみシャフトのボスに合致して該シャフトの移動を許容する切欠を備え、
前記シャフトには、該シャフトの解錠位置への移動に伴って前記係止爪を係止部との係止解除方向に移動させる作動部が設けられる請求項１記載のスライド錠。
【請求項３】
前記ダイヤルの切欠形成部は、ダイヤル本体に対して噛合角度可変に噛合しており、
シャフトが施錠位置を越えて移動した際に切欠形成部がダイヤル本体から離脱してダイヤル本体に対する切欠形成部の噛合角度を変更可能な請求項２記載のスライド錠。
【発明の詳細な説明】
【０００１】
【発明の属する技術分野】
本発明はスライド錠に関するものである。
【０００２】
【従来の技術】
窓等の引き違い戸に使用される錠装置としては、登録実用新案第３００７９７５号公報に記載されたものが知られている。この従来例において、錠装置は複数の鋸状歯を備えた主板と、シリンダ錠部とからなり、シリンダ錠部にはロータの回転により鋸状歯から係脱する施錠片が配置される。
【０００３】
ロータを回転させるためには鍵が必要であり、ロータを施錠片の鋸状歯への係止状態で施錠すると、シリンダ錠部は主板に対して移動することができなくなり、引き違い戸を開放操作することができなくなる。
【０００４】
【発明が解決しようとする課題】
しかし、上述した従来例において、ロータへの回転操作を行うためには、鍵が必要で、かつ、施錠状態においては鍵を抜いておくことを要するために、鍵を紛失するおそれがあり、使い勝手が悪いという欠点がある。
【０００５】
また、複数の引き戸に使用する場合は、その数の鍵が必要となり管理が煩わしい。
【０００６】
また、上述した従来例においては、ロータが破壊、あるいはピッキング等の手段で以上解錠された場合には、その状態で施錠片は鋸状歯との係止が解除され、その後は、シリンダ錠部の適宜箇所を押し付けて主板から離脱させるだけで窓の開放が可能となるために、外部から室内に侵入する場合には、窓の小寸の開口を開設するだけで解錠が可能であるために、防犯性能に劣るという問題がある。
【０００７】
本発明は、以上の欠点を解消すべくなされたものであって、鍵の管理を不要にして使い勝手を向上させたスライド錠の提供を目的とする。
【０００８】
また、本発明の他の目的は、防犯性能を向上させることのできるスライド錠の提供にある。
【０００９】
【課題を解決するための手段】
スライド錠Ａは、例えば、図１に示すように、固定プレート１上に移動不能に装着することによって窓等の引き戸４の開放方向への移動操作の障害物として機能し、引き戸４を施錠する。固定プレート１は、引き戸４側、あるいは隣接する他の引き戸４’、窓枠等の開口枠部材に装着することができる。
【００１０】
固定プレート１に対する相対移動は、係止爪３を固定プレート１の係止部２に係止させて行われ、係止爪３の係止を解除すると、スライド錠Ａを固定プレート１に対して移動、あるいは脱離可能となり、引き戸４を開放操作することができる。
【００１１】
本発明において、上記係止爪３の係止解除は適数のダイヤル５を所定回転角に回転させることにより行われ、ダイヤル５の回転角が設定値に合致しない場合には、係止爪３は係止解除することなく、引き戸４の開放操作はできない。この結果、施錠状態において、従来例のように鍵を別途保管する必要がないために、鍵の紛失等の不具合が発生することもなく、使い勝手が向上する。
【００１３】
解錠操作はまずダイヤル５を所定回転角度に合致させて操作部６の移動操作を可能とした後、操作部６を操作してスライド錠Ａ全体を固定プレート１に沿って移動させ、固定プレート１から離脱させ、あるいは退避位置まで移動させて行われる。
【００１４】
ダイヤル５を所定角度に回転させるだけでは係止爪３の係止が解除されることはなく、特定の操作部６の操作によってのみ係止爪３の係止が解除されるこの発明において、ダイヤル５合わせをしてスライド錠Ａの任意位置をドライバ等の工具を使用して押し付けるだけでは固定プレート１上を移動させることができない。この結果、外部からの侵入時には、操作部６を操作してスライド錠Ａを固定プレート１に沿って移動させる長さに渡って窓を破壊する必要が生じるために、防盗性が著しく向上する。また、室内からは、ダイヤル５を合わせた後、操作部６を掴んで固定プレート１からの離脱位置までそのまま移動させるだけで解錠できるために、操作性が低下することもない。
【００１５】
さらにこの場合、スライド錠Ａは、
施錠位置と解錠位置との間で移動可能で、かつ、径方向にボス８が突設されるシャフト７を有し、
前記操作部６はシャフト７に固定され、
前記ダイヤル５は、シャフト７周りに回転自在で、所定の回転位置においてのみシャフト７のボス８に合致して該シャフト７の移動を許容する切欠９を備え、
前記シャフト７には、該シャフト７の解錠位置への移動に伴って前記係止爪３を係止部２との係止解除方向に移動させる作動部１０を設けて構成することができる。
【００１６】
ダイヤル５の回転位置が初期設定位置にある際には、シャフト７のボス８はダイヤル５の切欠９に合致しており、シャフト７は長手方向に移動できる。シャフト７を施錠位置から解錠位置まで移動させると、作動部１０は係止爪３を係止解除位置まで移動させ、固定プレート１に対する移動が許容される。
【００１７】
この場合、ダイヤル５の切欠形成部５ａは、ダイヤル本体５ｂに対して噛合角度可変に噛合しており、
シャフト７が施錠位置を越えて移動した際に切欠形成部５ａがダイヤル本体５ｂから脱離してダイヤル本体５ｂに対する切欠形成部５ａの噛合角度を変更可能とすることにより、一旦決定したダイヤル５の解錠回転位置を変更することができるために、使い勝手がより向上する。
【００１８】
噛合角度変更操作時にシャフト７がケースの障壁面から突出するようにすると、施錠状態においてシャフト７は障壁面が衝接する他の引き戸４等に干渉して解錠回転位置の変更作業ができないために、不用意に解錠コードが変更されることがない。
【００１９】
【発明の実施の形態】
図１ないし４に引き違い窓用として構成された本発明の実施の形態を示す。図において１は固定プレートを示し、室外側の窓（引き戸４）の窓枠４ａに固定される。この固定プレート１は、図３に示すように、金属板材等を折り曲げて上下両側辺にガイド部１ａを形成した断面Ｃ字形状の横長のプレート体であり、一方の正面折り返し部１ｂの辺縁に係止部２を備える。この実施の形態において、係止部２は正面折り返し部１ｂに沿って所定ピッチで複数設けられ、スライド錠Ａの停止位置を適宜選択できるようにされる。各係止部２は室内側の窓４’方向（以下、この方向を前方とする。）の辺が幅方向中心線に対してほぼ直交する垂直起立辺２ａとされ、反対側が緩やかな傾斜辺２ｂとされる鋸歯形状に形成される。
【００２０】
上記固定プレート１に装着して窓４の施錠を行うスライド錠Ａは、下スライドプレート１１と上スライドプレート１２とを備える。下スライドプレート１１は固定プレート１のガイド部１ａに摺動自在に嵌合可能であり、上スライドプレート１２の両側縁には固定プレート１の側縁に外嵌可能なガイド壁１２ａが裏面側に折り曲げられる。また、下スライドプレート１１の前端は上方に折り曲げられて立ち上がり壁１１ａが形成され、該立ち上がり壁１１ａに衝接ブロック１３が固定される。上下スライドプレート１１、１２は鋼板により形成され、衝接ブロック１３は相手側窓枠４ａ’の被傷を防止するために、合成樹脂材により形成するのが望ましい。さらに、下スライドプレート１１の後端には、スライド錠Ａを固定プレート１から離脱させた際に適宜箇所に引っかけておくことができるように、係止孔１１ｂを備えた舌片１１ｃが設けられる。
【００２１】
図３に示すように、上記上スライドプレート１２の裏面、すなわち下スライドプレート１１との対向面には側縁に係止爪３を備えるフック部材１４が支軸１４ａ周りに揺動自在に枢支される。係止爪３は、後端辺が垂直起立辺３ａ、前端が傾斜辺３ｂとされており、固定プレート１の係止部２に係止した状態で垂直起立辺２ａ、３ａ同士が当接して後方への移動が禁止される。また、このフック部材１４はトーションスプリング１５により係止部２との係止方向に付勢されており、フック部材１４の係止方向への回転角度は上スライドプレート１２に立設されるストッパピン１６により規制される。
【００２２】
さらに、上記フック部材１４の後端部にはカム開口１７が開設されており、後述するシャフト７に設けられ、ピン部材７ｃと一体に形成される駆動ピン（作動部１０）が挿入される。カム開口１７は傾斜状のカム辺１７ａを備え、駆動ピン１０を駆動ピン１０をシャフト７の長手方向に移動させることにより、フック部材１４を揺動させることができる。
【００２３】
一方、上記上スライドプレート１２の表面には下カバー１８ａに上カバー１８ｂを積層したカバー体１８が固定され、上記シャフト７は下カバー１８ａの表面部に長手方向移動自在に保持される。図４に示すように、シャフト７は、断面円形の直杆からなるシャフト主体部７ａの後端に保持ブロック７ｂとピン部材７ｃ（図２（ｃ）参照）を固定して形成され、シャフト主体部７ａは、保持ブロック７ｂが下カバー１８ａに支承され、かつ、前端部が上下カバー１８ａ、１８ｂの前端壁面に開設されたシャフト挿通孔１８ｃに支持されて水平姿勢を維持する。また、衝接ブロック１３にはシャフト挿通孔１８ｃに連通する貫通孔１３ａが設けられる。
【００２４】
上記ピン部材７ｃの先端には駆動ピン１０が形成され、上スライドプレート１２を貫通してフック部材１４のカム開口１７に挿入し、さらに、保持ブロック７ｂの表面には上カバー１８ｂを貫通してカバー体１８表面に露出する摘み（操作部６）が固定される。これらシャフト７、および摘み６をシャフト７の長手方向に移動自在とするために、カバー体１８、および下スライドプレート１１には横長のガイド穴１９が設けられる。
【００２５】
上記シャフト７は図４（ｃ）に示すように、前方のストローク終端において、シャフト主体部７ａの前端は衝接ブロック１３から所定寸法飛び出ように設定されており、後方のストローク終端位置、およびフック部材１４のカム辺１７ａは、当該後方ストローク終端位置（解錠位置）において、図３（ｃ）に示すように、係止爪３が固定プレート１の係止部２との係止が解除されるまでフック部材１４を回動することができるように設定される。また、シャフト７の解錠位置から前方ストローク終端位置までの中間部に、図３（ａ）に示すように、係止爪３が係止部２に係止する施錠位置が設定され、カム辺１７ａは、施錠位置から前方ストローク終端位置までの間は、係止状態を維持するように設定される。また、シャフト主体部７ａは、図４（ａ）に示すように、施錠位置において前端が衝接ブロック１３から飛び出さないように設定され、シャフト７が解錠位置、および施錠位置において節度感をもって停止することができるように、保持ブロック７ｂには下カバー１８ａに形成された節度凹部１８ｄに弾発係止可能な節度爪７ｄが設けられる。
【００２６】
上記シャフト７のシャフト主体部７ａにはダイヤル５が装着される。ダイヤル５はダイヤル本体５ｂとメモリギア（切欠形成部５ａ）とからなり、シャフト主体部７ａ周りに空転自在とされる。ダイヤル本体５ｂの外周にはアルファベット、あるいは数字等の適宜の識別符号５ｃが表わされ、図５に示すように、識別符号５ｃの境界にはクリック溝５ｄが設けられる。ダイヤル５の回転操作に節度感をもたせるために、下カバー１８ａとダイヤル本体５ｂの間には、クリック溝５ｄに弾発係止する板バネ状のクリックスプリング２０が装着される。
【００２７】
メモリギア５ａは、ダイヤル本体５ｂのコード決定凹部５ｅに嵌合するコード決定突部５ｆを備えてシャフト主体部７ａに空転自在に外嵌され、コード決定突部５ｆがコード決定凹部５ｅに嵌合した状態でダイヤル本体５ｂと一体となってシャフト主体部７ａ周りに回転することができる。コード決定突部５ｆの嵌合状態を維持するために、メモリギア５ａは圧縮スプリング２１により嵌合方向（後方）に付勢される。また、メモリギア５ａは後述するように、シャフト主体部７ａの長手方向に移動自在であり、コード決定凹部５ｅへの嵌合状態において後方（解錠位置側）への移動が禁止される。また、メモリギア５ａの内周壁面には、上記シャフト主体部７ａの外周に突設されるボス８が通過可能な切欠９が長手通しに全長に渡って設けられる。
【００２８】
したがってこの実施の形態において、施錠状態においては、図５に示すように、シャフト７のボス８とメモリギア５ａの切欠９は合致していないために、シャフト７はボス８がメモリギア５ａの端面に衝接し、さらに、メモリギア５ａはダイヤル本体５ｂにより後方への移動が阻止されているために、解錠位置側に移動することはできない。この状態から、ダイヤル５を所定回転位置まで回転させて切欠９をボス８に合致させると、摘み６を操作してシャフト７を解錠位置側にスライドさせることができる。シャフト７のスライド操作により、図３（ｃ）に示すように、フック部材１４が作動して係止爪３が係止部２との係止解除位置まで回転し、さらに摘み６を解錠方向に引くと、スライド錠Ａを固定プレート１に対して移動させることができる。
【００２９】
さらに、この実施の形態は、解錠のためのダイヤル５の回転位置を新たに設定し直す、すなわち、解錠コードを設定し直すための機構を備える。これを実現するために、メモリギア５ａは、シャフト主体部７ａの長手方向に移動してコード決定突部５ｆをコード決定凹部５ｅから脱離させることができる。コード決定突部５ｆの嵌合解除状態においてメモリギア５ａの回転角を解除前の回転位置に保持するために、図５（ｂ）に示すように、メモリギア５ａの外周にはスライド時に下カバー１８ａの保持突起２３に係合する保持切欠２２が設けられる。保持突起２３と保持切欠２２はダイヤル５が解錠回転位置にある際に合致し、施錠状態でのスライド操作は禁止される。
【００３０】
解錠コードを変更するには、一旦、ダイヤル５を解錠回転位置まで回転させた後、摘み６を操作してシャフト７を図４（ａ）に示す施錠位置を越えて図４（ｃ）に示すストローク前方終端位置（コード変更位置）まで移動させる。シャフト７の移動に伴って鍔部７ｅはボス８はメモリギア５ａの後端面を押し付けて前方に移動させ、前方にスライドしたメモリギア５ａは保持切欠９の保持突起２３への係合によりシャフト７との相対位置が維持される。さらに、ダイヤル本体５ｂはコード決定突部５ｆとの嵌合が解除されてメモリギア５ａの筒部５ｇ周りに自由に回転させることができる。次いで、好みの回転位置でダイヤル本体５ｂを停止させ、摘み６への操作力を解除すると、圧縮スプリング２１の反力によりメモリギア５ａはスライドして原位置に復帰し、コード決定突起５ｆはダイヤル本体５ｂの取り得る回転位置の数だけ周方向に配置されたコード決定凹部５ｅのいずれかに嵌合し、以後、設定操作時のダイヤル５の回転位置でのみボス８と切欠９が合致するようになる。
【００３１】
したがってこの実施の形態において、使用に際し、図１に示すように、予め引き戸４の窓枠４ａに固定された固定プレート１にスライド錠Ａを装着する。装着操作は、衝接ブロック１３を先頭にした姿勢で固定プレート１のガイド部１ａの後方開放端に下スライドプレート１１をはめこむようにして行われる。この状態で上記フック部材１４の係止爪３と固定プレート１の係止部２との間にはラチェット機構が構成され、スライド錠Ａを固定プレート１上を適宜位置まで移動させることができ、反対方向へは移動操作は禁止される。適宜位置で停止させると、衝接ブロック１３は隣接する他の窓４’の窓枠４ａ’に対峙した状態となり、衝接ブロック１３の前端面が障害壁１３ｂとして作用して窓４、あるいは４’を開放させることができない。
【００３２】
錠装置Ａの固定プレート１への装着方向がシャフト７の解錠状態から施錠状態への移行方向に一致しているこの実施の形態において、以上の装着操作を摘み６を保持して行うと、解錠状態で固定プレート１の装着を開始しても、装着操作時にシャフト７は自動的に施錠位置に移動するために、この後、ダイヤル５を回転操作するだけで容易に施錠状態とすることができる。
【００３３】
なお、カム辺１７ａをカム開口１７の後端まで連続させた場合は、駆動ピン１０はトーションスプリング１５により施錠位置に自動的に復帰することができる。
【００３４】
解錠状態への移行は、ダイヤル５を予め定めた回転位置まで回転操作するだけで簡単に行うことができ、この状態から摘み６を保持してスライド錠Ａを後方に移動させると、係止爪３の係止部２との係止が解除され、スライド錠Ａを固定プレート１から離脱させることができる。
【００３５】
また、噛合角度変更後に摘み６を施錠位置に戻すことを忘れても、シャフト７の前方が窓１３ａから突出しているため、錠装置Ａの装着時に窓枠４ａ’に当接して強制的に施錠位置に戻される。
【００３６】
なお、スライド錠Ａの装着、離脱操作を、摘み６を摘んで行うと、操作が簡単になるが、図６に示すように、操作部６を、シャフト７に一体的に連結されてカバー体１８を覆う移動カバーとして構成すると、保持がしやすくなり、より操作性を向上させることができる。
【００３７】
【発明の効果】
以上の説明から明らかなように、本発明によれば、鍵の管理が不要となって使い勝手が向上するとともに、防犯性も向上する。
【図面の簡単な説明】
【図１】本発明の使用状態を示す図で、（ａ）は正面図、（ｂ）は（ａ）の１Ｂ方向矢視図である。
【図２】スライド錠を示す図で、（ａ）は正面図、（ｂ）は左側面図、（ｃ）は（ａ）の２Ｃ-２Ｃ線断面図である。
【図３】フック部材の動作を示す図で、（ａ）はシャフトが施錠位置にある状態を上スライドプレートを取り除いて示した図、（ｂ）は固定プレートに装着した状態を示す要部断面図、（ｃ）はシャフトが解錠位置にあるときの（ａ）に対応する図である。
【図４】シャフトの動作を示す図で、（ａ）は施錠位置にある状態を上カバーを取り除いて示した図、（ｂ）は解錠位置にあるときの（ａ）に対応する図、（ｃ）はコード変更位置にあるときの（ａ）に対応する図である。
【図５】図４の断面図で、（ａ）は図４（ａ）の５Ａ-５Ａ線断面図、（ｂ）は図４（ａ）の５Ｂ-５Ｂ線断面図である。
【図６】図１の変形例を示す図である。
【符号の説明】
１        固定プレート
２        係止部
３        係止爪
４        引き戸
５        ダイヤル
５ａ      切欠形成部
５ｂ      ダイヤル本体
６        操作部
７        シャフト
８        ボス
９        切欠
１０      作動部
Ａ        スライド錠
【図１】
0003934332.tif 000002
【図２】
0003934332.tif 000003
【図３】
0003934332.tif 000004
【図４】
0003934332.tif 000005
【図５】
0003934332.tif 000006
【図６】
0003934332.tif 000007